(57)【要約】【課題】無線通信モジュールの放熱効率を維持しつつ、高い耐久性を有する無線通信装置を提供する。【解決手段】箱状の筐体１００と該筐体１００内に収容された無線通信モジュールとを備えた無線通信装置１において、筐体１００の側面には１つ以上の放熱用のスリット１５１が形成されており、該スリット１５１の開口位置には該スリット１５１による筐体内外の通気性を確保しながら該スリット１５１を覆う被覆部材１６０を備えている。【選択図】図２
2016111114.tif 000002
【特許請求の範囲】
【請求項１】
箱状の筐体と該筐体内に収容された無線通信モジュールとを備えた無線通信装置において、
筐体の側面には１つ以上の放熱用のスリットが形成されており、
該スリットの開口位置には該スリットによる筐体内外の通気性を確保しながら該スリットを覆う被覆部材を備えている
ことを特徴とする無線通信装置。
【請求項２】
前記被覆部材は、前記スリットの全面を覆う被覆片と、前記被覆片を保持する保持片とを備えた
ことを特徴とする請求項１記載の無線通信装置。
【請求項３】
前記スリットは筐体側面の厚み方向を長手方向とする長穴形状に形成され、前記保持片はスリットの長辺に付設されている
ことを特徴とする請求項２記載の無線通信装置。
【請求項４】
前記被覆部材は、平断面形状が略Ｌ字状となっている
ことを特徴とする請求項３記載の無線通信装置。
【請求項５】
筐体のスリットを開閉自在に閉鎖する遮蔽部材を備えた
ことを特徴とする請求項１乃至４何れか１項記載の無線通信装置。
【請求項６】
筐体の第１の角部に位置する筐体側面に第１のスリットが形成され、前記第１の角部に対して筐体の中央部を中心として点対称となる第２の角部に位置する筐体側面に第２のスリットが形成されている
ことを特徴とする請求項１乃至５何れか１項記載の無線通信装置。
【請求項７】
前記スリットには通気性を有する防塵用のフィルタが付設されている
ことを特徴とする請求項１乃至６何れか１項記載の無線通信装置。
【発明の詳細な説明】
【技術分野】
【０００１】
本発明は、箱状の筐体内に無線通信モジュールを収納した無線通信装置に関する。
【背景技術】
【０００２】
この種の無線通信装置はテレメトリングやテレマティクスやなどの分野で用いられている。典型的な例としては、自動販売機内に無線通信装置を設置し、自動販売機の主制御装置が自動販売機の販売データや電子マネーの決済情報などを管理サーバに送信する自動販売機管理システムが知られている。その他の例としては、駐車場の管理システム、水道の流量管理システムなどが挙げられる。
【０００３】
無線通信装置は、筐体内に無線通信モジュールと制御基板とを内蔵している（特許文献１参照）。この無線通信モジュールは、データ回線終端装置（Data Circuit-terminating Equipment）に相当する装置である。したがって、自動販売機の主制御装置などの利用機器に、無線通信モジュールを直接実装するようにしてもシステム構築は可能である。しかしながら、無線通信の規格・仕様は通信事業者やモジュールの機種毎に様々であるため、ある無線通信モジュールに適合するように利用機器を設計してしまうと、通信事業者・提供サービス・機種に変更等に対応することが困難であるという問題がある。なお、このような変更が生じる理由の１つとしては、無線通信の製品サイクルに比べてシステム全体の寿命等が短いことが挙げられる。一方、システムによっては無線通信に関して独自の機能や仕様が求められる場合がある。そこで、無線通信装置では、無線通信モジュールと制御装置とを内蔵し、該制御装置により通信事業者・提供サービス・機種の相違を吸収したり、システム独自の機能を付加したりすることにより、コスト低減や利便性の充実を図っている。このように無線通信装置は、データ回線終端装置である無線通信モジュールを内蔵しているが、利用機器からみると無線通信装置全体で１つのデータ回線終端装置であるようにみえるように構成されている。
【先行技術文献】
【特許文献】
【０００４】
【特許文献１】特開２００８−２８６２２号公報
【発明の概要】
【発明が解決しようとする課題】
【０００５】
ところで、筐体内に収納した無線通信モジュールは、一般的に、高い発熱性を有している。このため無線通信装置は、筐体の放熱構造が重要な課題となる。放熱効率のみに注目した場合、筐体に多数の放熱孔を形成することが考えられる。しかし、この種の無線通信装置は、屋外に設置された機器内に収容されることが多く、異物混入の防止や、防塵性、耐水性など総合的な耐久性が重要視される。このため、単に筐体に多数の放熱孔を形成するのみでは、無線通信装置の耐久性を高く維持することが困難であった。
【０００６】
本発明は上記事情に鑑みてなされたものであり、その目的とするところは、無線通信モジュールの放熱効率を維持しつつ、高い耐久性を有する無線通信装置を提供することにある。
【課題を解決するための手段】
【０００７】
上記目的を達成するために、本願発明は、箱状の筐体と該筐体内に収容された無線通信モジュールとを備えた無線通信装置において、筐体の側面には１つ以上の放熱用のスリットが形成されており、該スリットの開口位置には該スリットによる筐体内外の通気性を確保しながら該スリットを覆う被覆部材を備えていることを特徴とする。
【０００８】
本発明によれば、スリットにより無線通信モジュールの放熱性を確保しつつ、被覆部材により異物混入を防止しているので耐久性が向上したものとなる。
【０００９】
本発明の好適な態様の一例としては、前記被覆部材は、前記スリットの全面を覆う被覆片と、前記被覆片を保持する保持片とを備えたものが挙げられる。このような態様の場合、さらに具体的には、前記スリットは筐体側面の厚み方向を長手方向とする長穴形状に形成され、前記保持片はスリットの長辺に付設されているものが挙げられる。さらに具体的には、前記被覆部材は、平断面形状が略Ｌ字状となっているものが挙げられる。
【００１０】
また、本発明の好適な態様の他の例としては、筐体のスリットを開閉自在に閉鎖する遮蔽部材を備えたものが挙げられる。本発明によれば、無線通信装置の設置環境や筐体内の発熱量に応じて筐体からの放熱能力を調整でき、スリットを閉鎖した際には防塵性や耐水性等が向上するので、環境等に応じた耐久性を得ることができる。
【００１１】
また、本発明の好適な態様の他の例としては、  筐体の第１の角部に位置する筐体側面に第１のスリットが形成され、前記第１の角部に対して筐体の中央部を中心として点対称となる第２の角部に位置する筐体側面に第２のスリットが形成されているものが挙げられる。本発明によれば、無線通信装置を設置場所の壁面に取り付ける際に、筐体の底面が設置壁面と対向するように配置することで、第１のスリットと第２のスリットの少なくとも一方が上方に位置し、他方が下方に位置する。したがって自然対流による放熱効率の向上が図られる。
【００１２】
なお、前記スリットに通気性を有する防塵用のフィルタを付設すると防塵性の観点から好適である。
【発明の効果】
【００１３】
以上詳述したように、本発明によれば、スリットにより無線通信モジュールの放熱性を確保しつつ、被覆部材により異物混入を防止しているので耐久性が向上したものとなる。
【図面の簡単な説明】
【００１４】
【図１】無線通信装置の上平面図及び側面図
【図２】無線通信装置の要部の平断面図
【発明を実施するための形態】
【００１５】
本発明の一実施の形態に係る無線通信装置について図面を参照して説明する。図１は無線通信装置の上平面図及び側面図、図２は無線通信装置の要部の平断面図である。なお、図１において、図１（ｂ）は無線通信装置の上平面図、図１（ａ）は図１（ｂ）における紙面上側の側面図、図１（ｃ）は図１（ｂ）における紙面下側の側面図である。
【００１６】
無線通信装置１は、箱状すなわち直方体形状の筐体１００と、該筐体１００内に収容された無線通信モジュール（図示省略）と制御基板（図示省略）を備えている。無線通信モジュールは、データ回線終端装置（Data Circuit-terminating Equipment）に相当する装置である。制御基板に実装された制御装置は、所定のコネクタに無線通信装置１を利用する機器を接続した場合には、該利用機器と無線通信モジュールとを中継する処理を行う。ここで制御装置は、通信事業者・提供サービス・無線通信モジュールの機種の相違を吸収したり、システム独自の機能を利用機器に提供したりする。例えば、利用機器に実装されていないネットワーク接続処理を、制御装置が利用機器に代理して処理を行うことにより、利用機器で想定されていないネットワーク利用が可能となる。このように、無線通信装置１は、データ回線終端装置である無線通信モジュールを内蔵しているが、無線通信装置１の所定のコネクタに利用機器を接続した場合、利用機器からみると無線通信装置全体で１つのデータ回線終端装置であるようにみえるように構成されている。
【００１７】
また、無線通信装置１は、ＬＡＮ（Local Area Network）に接続するインタフェイスを備えている。この場合、無線通信装置１の制御装置は、無線通信モジュールにより接続した無線通信網をＷＡＮ（Wide Area Network）側として、ＬＡＮとＷＡＮを中継するルータ又はゲートウェイ装置として機能する。
【００１８】
筐体１００は、底面開放の箱状で樹脂製の筐体本体１０１と、該筐体本体１０１の開口底面を閉鎖する金属製の底板（図示省略）とを備えている。筐体本体１０１の短辺側の２つの側面（以下、「左側面」及び「右側面」と言う。）１２０，１３０には、該側面１２０，１３０の底部から左右方向に張り出している取付片１２１，１３１が付設されている。該取付片１２１，１３１には複数の取付孔１２２，１３２が形成されている。
【００１９】
筐体本体１０１の上面１１０には、動作確認用の多数の表示ランプ１１１が配置されている。また筐体本体１０１の上面１１０には、筐体１００内に配置した設定用スイッチ等を操作するための円形の操作孔が形成されており、該操作孔には蓋体１１５が嵌合している。このため、筐体本体１０１の上面１１０側に放熱対策を施すことは困難である。
【００２０】
筐体本体１０１の長辺側の一方の側面（以下、「上側面」と言う。）１４０には、無線通信装置を利用する装置（上位装置）に接続するためのコネクタ３１０、アンテナに接続するためのアンテナ端子３１１，３１２、ＬＡＮコネクタ３１３、電源コネクタ３１４などが設けられている。
【００２１】
筐体本体１０１の長辺側の他方の側面（以下、「下側面」と言う。）１５０の全面には、厚み方向を長手方向とする長方形状のスリット１５１が互いに間隔をおいて多数形成されている。該スリット１５１により筐体１００の内外で空気が連通し、筐体１００内外の通気性が確保されている。下側面１５０の内側には、図２に示すように、筐体１００内外の通気性を確保しながら各スリット１５１の全面を覆う被覆部材１６０を備えている。該被覆部材１６０は、各スリット１５１の開口位置においてスリット１５１毎に形成されており、スリット１５１と同一形状の被覆片１６１と、スリット１５１の内側において下側面１５０と間隔をおいた位置に被覆片１６１を保持する保持片１６２とを備えている。保持片１６２は、スリット１５１の一方の長辺から筐体本体１０１の内側に向かって形成されている。被覆片１６１は、保持片１６２の端部からスリット１５１を覆うように下側面１５０と平行となるように形成されている。したがって、被覆片１６１は、平断面が略Ｌ字状となっている。なお、本実施の形態では、被覆部材１６０を筐体本体１０１と一体に形成するとともに、被覆片１６１と保持片１６２も一体に形成している。
【００２２】
なお、本実施の形態では、下側面１５０以外の他の側面１２０，１３０，１４０にはスリット１５１は形成されていない。
【００２３】
本実施の形態に係る無線通信装置によれば、スリット１５１により放熱性を確保しつつ、被覆部材１６０によりスリット１５１からの異物混入を防止しているので耐久性が向上したものとなる。
【００２４】
以上本発明の一実施の形態について説明したが、本発明はこれに限定されるものではない。例えば、上記実施の形態では、被覆部材１６０は筐体本体１０１の内側に形成するようにしたが筐体本体１０１の外側に形成するようにしてもよい。また、上記実施の形態では、被覆片１６１を保持する保持片１６２はスリット１５１の長辺に形成したが、スリット１５１の短辺に形成するようにしてもよい。なお、この場合、強度確保の観点から上下双方の短辺に保持片１６２を設けると好適である。また、上記実施の形態では、スリット１５１は、長方形状としたが、長丸穴形状など他の形状であってもよい。
【００２５】
また、上記実施の形態では、筐体本体１０１の４つの側面のうち１つの側面のみにスリット１５１を形成したが、他の側面にも形成するようにしてもよい。例えば、筐体１００のある角部に位置する側面にスリットを形成し、この角部に対して筐体１００の中央部を中心として点対称となる他の角部に位置する側面にもスリットを形成することが挙げられる。これにより、無線通信装置を設置場所の壁面に取り付ける際に、筐体１００の底面が設置壁面と対向するように配置した場合、一方のスリットが上方に位置し、他方のスリットが下方に位置する。したがって自然対流による放熱効率の向上が図られる。
【００２６】
また、スリット１５１を開閉自在に閉鎖する遮蔽部材を設けるようにしてもよい。これにより、無線通信装置の設置環境や筐体１００内の発熱量に応じて筐体１００からの放熱能力を調整でき、スリット１５１を閉鎖した際には防塵性や耐水性等が向上するので、環境等に応じた耐久性を得ることができる。
【００２７】
また、スリット１５１に通気性を有する防塵用のフィルタを付設するようにしてもよい。これにより防塵性が向上する。
【００２８】
また、上記実施の形態ではＬＡＮ接続機能を有する無線通信装置について説明したがＬＡＮ機能を省略してもよい。
【符号の説明】
【００２９】
１…無線通信装置、１００…筐体、１０１…筐体本体、１５１…スリット、１６０…被覆部材、１６１…被覆片、１６２…保持片
【図１】
2016111114.tif 000003
【図２】
2016111114.tif 000004